(57)【要約】【課題】使用目的に合わせて表示装置を変更することで可搬機器や据え置き機器として使用可能な情報処理装置。【解決手段】情報処理機２と、表示部１４を備えた表示器３と、表示部１４と大きさの異なる表示部１９を備えた表示器４と、表示器３に設けられた装着部と、情報処理機２と表示器３とを一体化するために前記装着部に対して装着可能な、情報処理機２に設けられた装着部とからなる装着機構５と、情報処理機２に設けられた第１接続部１１と、情報処理機２と表示器３とを電気的に接続するために第１接続部１１に対し接続可能な、表示器３に設けられた接続部１７とからなる第１接続手段と、情報処理機２に設けられた第２接続部１０と、情報処理機２と表示器４とを信号伝達部材２２を介し電気的に接続するために第２接続部１０に対して接続可能な、表示器４に設けられた接続部２０とからなる第２接続手段とを有する。【選択図】図１
2010009222.tif 000002
【特許請求の範囲】
【請求項１】
情報の処理を行う情報処理機と、
前記情報処理機からの情報を表示する第１表示部を備えた第１表示器と、
前記情報処理機からの情報を表示する、前記第１表示部と大きさの異なる第２表示部を備えた第２表示器と、
前記第１表示器に設けられた装着部と、前記情報処理機と前記第１表示器とを一体化するために前記装着部に対して装着可能な、前記情報処理機に設けられた装着部とからなる装着機構と、
前記情報処理機に設けられた第１接続部と、前記情報処理機と前記第１表示器とを電気的に接続するために前記第１接続部に対して接続可能な、前記第１表示器に設けられた接続部とからなる第１接続手段と、
前記情報処理機に設けられた第２接続部と、前記情報処理機と前記第２表示器とを信号伝達部材を介して電気的に接続するために前記第２接続部に対して接続可能な、前記第２表示器に設けられた接続部とからなる第２接続手段と、
を有することを特徴とする情報処理装置。
【請求項２】
前記第１表示器は、前記情報処理機へ電力を供給するバッテリを備えていることを特徴とする請求項１に記載の情報処理装置。
【請求項３】
前記情報処理機は、外部電源を接続するための接続部と、前記第１表示器の前記バッテリを充電するための電力を供給する機能を備えていることを特徴とする請求項２に記載の情報処理装置。
【請求項４】
前記第１表示器は、前記情報処理機が装着された際に、前記第１表示器及び前記情報処理機を支持する支持部材を備えていることを特徴とする請求項１から請求項３のいずれか一項に記載の情報処理装置。
【発明の詳細な説明】
【技術分野】
【０００１】
本発明は、情報処理装置に関する。
【背景技術】
【０００２】
従来、情報の表示や処理を行う代表的な装置としてパーソナルコンピュータ（ＰＣ）が知られており、ＰＣはその使用目的や使用範囲に応じてノート型ＰＣ、デスクトップ型ＰＣ、ＰＤＡ（Personal Digital Assistants）等に分類される（例えば、特許文献１を参照。）。
【特許文献１】特開２００４−２５８４９５号公報
【発明の開示】
【発明が解決しようとする課題】
【０００３】
しかしながら、上述のような従来のノート型ＰＣやＰＤＡ等の可搬機器においては、情報を表示する表示器が機器本体に一体的に搭載されており、これらを分離することが不可能であった。このため、例えば斯かる可搬機器をデスクトップ型ＰＣのような据え置き機器として用いようとした場合等、使用目的に合わせて表示器を変更することができないという問題があった。また、使用目的に合わせて別途用意した表示装置を携帯機器に接続して使用することも考えられるものの、この場合は表示器が不要で邪魔になってしまうという問題もあった。
【０００４】
そこで本発明は上記問題点に鑑みてなされたものであり、使用目的に合わせて表示装置を変更することで可搬機器や据え置き機器として使用可能な情報処理装置を提供することを目的とする。
【課題を解決するための手段】
【０００５】
上記課題を解決するために本発明は、
情報の処理を行う情報処理機と、
前記情報処理機からの情報を表示する第１表示部を備えた第１表示器と、
前記情報処理機からの情報を表示する、前記第１表示部と大きさの異なる第２表示部を備えた第２表示器と、
前記第１表示器に設けられた装着部と、前記情報処理機と前記第１表示器とを一体化するために前記装着部に対して装着可能な、前記情報処理機に設けられた装着部とからなる装着機構と、
前記情報処理機に設けられた第１接続部と、前記情報処理機と前記第１表示器とを電気的に接続するために前記第１接続部に対して接続可能な、前記第１表示器に設けられた接続部とからなる第１接続手段と、
前記情報処理機に設けられた第２接続部と、前記情報処理機と前記第２表示器とを信号伝達部材を介して電気的に接続するために前記第２接続部に対して接続可能な、前記第２表示器に設けられた接続部とからなる第２接続手段と、
を有することを特徴とする情報処理装置を提供する。
【発明の効果】
【０００６】
本発明によれば、使用目的に合わせて表示装置を変更することで可搬機器や据え置き機器として使用可能な情報処理装置を提供することができる。
【発明を実施するための最良の形態】
【０００７】
以下、添付図面に基づいて本発明の実施形態に係る情報処理装置を説明する。
図１は、本発明の実施形態に係る情報処理装置の構成を示す図である。
図１に示すように本実施形態に係る情報処理装置１は、情報の処理を行う情報処理機２と、情報処理機２と接続されて情報の表示を行う専用モニタ３と、専用モニタ３と同様に情報処理機２と接続されて情報の表示を行う外部モニタ４とからなり、これらを適宜組み合わせて用いる情報表示処理システムである。
情報処理機２及び専用モニタ３はそれぞれ外部モニタ４に比して小型であり、また情報処理機２は一般的な装着機構５を介して後述する図２に示すように専用モニタ３の筐体背面に着脱自在に装着することができる。
【０００８】
情報処理機２は、情報処理部６、表示処理部７、外部装置接続部８、電源接続部９、外部モニタ接続部１０、専用モニタ接続部１１、充電回路１２、不図示の記録メディア、及び不図示の電源回路を備えている。
情報処理部６は、ＣＰＵ（Central Processing Unit）と、ＲＡＭ（Random Access Memory）と、ＲＯＭ（Read Only Memory）とを有しており、一般的なＰＣと同様に情報の処理や情報処理装置１を構成する各電動要素の制御を行うものである。
表示処理部７は、情報処理部６による演算処理結果やＧＵＩ（Graphical User Interface）を専用モニタ３や外部モニタ４に表示するための表示信号を出力するものである。
【０００９】
外部装置接続部８は、情報処理機２を操作するための不図示の操作部材（例えば、マウスやキーボード）や、情報処理機２によって操作する不図示の外部装置（例えば、カメラ）等を情報処理機２に接続するための接続端子からなり、これによって操作部材からの操作信号を情報処理機２へ入力することや、情報処理部６からの制御信号を外部装置へ出力することが可能となる。なお、本実施形態においてこの接続端子にはＵＳＢ端子が採用されている。
電源接続部９は、別途用意された不図示の外部電源を情報処理機２に接続するための接続端子からなり、これによって外部電源からの電力を受け入れることが可能となる。
【００１０】
外部モニタ接続部１０は、外部モニタ４を情報処理機２に接続するための接続端子からなり、これによって表示処理部７からの表示信号を外部モニタ４へ出力することが可能となる。
専用モニタ接続部１１は、専用モニタ３を情報処理機２に接続するための接続端子からなり、これによって表示処理部７からの表示信号を専用モニタ３へ出力すること、専用モニタ３に備えられた後述の操作部１５からの操作信号を受信すること、専用モニタ３に備えられた後述のバッテリ１６からの電力を受け入れること、及び充電回路１２からの充電用電力を専用モニタ３のバッテリ１６へ供給することが可能となる。
充電回路１２は、外部電源が接続された情報処理機２を専用モニタ３へ装着した際に、専用モニタ３のバッテリ１６へ充電用電力を供給して充電を行うための電気回路である。図１では充電回路１２は情報処理機２の内部にあるが、専用モニタ３の内部にあっても良い。
【００１１】
専用モニタ３は、表示用ＬＣＤ１４、操作部１５、バッテリ１６、及び情報処理機用接続部１７を備えている。
表示用ＬＣＤ（Liquid Crystal Display）１４は、情報処理機２より入力された表示信号に基づくＧＵＩや演算処理結果等を表示するものである。
操作部１５は、使用者が情報処理機２を操作するための操作信号を入力する各種スイッチからなり、表示用ＬＣＤ１４が設けられた筐体面と同じ面上に配置されている。
【００１２】
バッテリ１６は、情報処理機２へ電力を供給するための充電可能な充電池からなり、不図示の着脱機構を介して専用モニタ３の筐体背面に取外し自在に設けられている。なお、専用モニタ３への電力の供給は、当該バッテリ１６又は上述の外部電源より電力供給を受けた情報処理機２が行うように構成されており、専用モニタ３内に備えられた不図示の電気回路の動作が専用モニタ３にバッテリ１６が装着されているか否かによって変化することはない。また、外部電源が情報処理機２に接続されている場合、バッテリ１６は充電回路１２によって充電されるように構成されている。
情報処理機接続部１７は、情報処理機２を装着機構５を介して専用モニタ３に装着することで情報処理機２の専用モニタ接続部１１と接続される接続端子からなり、これによって表示処理部７からの表示信号を受信すること、操作部１５からの操作信号を情報処理機２へ出力すること、バッテリ１６からの電力を情報処理機２へ供給すること、及び情報処理機２の充電回路１２からの充電用電力を受け入れることが可能となる。
また、専用モニタ３の筐体背面には、図２に示すように情報処理機２を装着した専用モニタ３を支持して写真立てのように自立させる折畳式の脚部１８と、これを収納する不図示の収納部が設けられている。
【００１３】
外部モニタ４は、一般的な構成のモニタであって、専用モニタ３の表示用ＬＣＤ１４に比して大型の表示部１９、情報処理機接続部２０、及び電源接続部２１を備えている。
情報処理機接続部２０は、図３に示すようにモニタケーブル２２を介して情報処理機２の外部モニタ接続部１０と接続される接続端子からなり、これによって表示処理部７からの表示信号を受信することが可能となる。
電源接続部２１は、不図示の外部電源を外部モニタ４に接続するための接続端子からなり、これによって外部電源からの電力を受け入れることが可能となる。
なお、本実施形態では外部モニタ４の筐体背面には、後述する図３に示すように一般的な不図示の装着機構を介して情報処理機２を着脱自在に装着することが可能である。また、外部モニタ４の筐体下部には、該外部モニタ４を支持するスタンド２３が備えられている。
【００１４】
ここで、以上に述べた構成の本実施形態に係る情報処理装置１の代表的な２つの使用例を説明する。
図２は本発明の実施形態に係る情報処理装置１の第１の使用例を示す図であり、図３は本発明の実施形態に係る情報処理装置１の第２の使用例を示す図である。
第１の使用例としては、図２に示すように情報処理機２を専用モニタ３に装着することで、本実施形態に係る情報処理装置１を携行性に優れた可搬機器として使用することができる。
斯かる第１の使用例においては、上述のように専用モニタ３にはバッテリ１６が備えられているため、本情報処理装置１の携行時においても外部電源を情報処理機２に接続することなく、バッテリ１６で情報処理機２及び専用モニタ３への電力供給を行うことができる。なお、外部電源を情報処理機２に接続した場合には、外部電源によって情報処理機２及び専用モニタ３への電力供給を行うとともに、バッテリ１６の充電を行うことができる。
また、上述のように専用モニタ３には操作部１５が備えられているため、使用者は本情報処理装置１の携行時においても表示用ＬＣＤ１４を見ながら操作部１５を介して情報処理機２を操作することができる。なお、情報処理機２にマウス等の操作部材を別途接続し、これを用いて操作することも勿論可能である。
【００１５】
第２の使用例としては、情報処理機２を専用モニタ３から取り外して図３に示すように外部モニタ４に装着しモニタケーブル２２を介して接続することで、本実施形態に係る情報処理装置１をデスクトップ型ＰＣのように据え置き機器として使用することができる。
斯かる第２の使用例においては、情報処理機２及び外部モニタ４に外部電源を接続して電力供給を行い、情報処理機２にマウス等の操作部材を接続して当該情報処理装置１の操作を行う。
【００１６】
なお、本実施形態に係る情報処理装置１は、以上に述べた２つの使用例に限られず、例えば情報処理機２のみをその他の据え置き装置に組み込んで使用することや、情報処理機２を専用モニタ３と外部モニタ４の両方と接続して使用すること等も勿論可能である。
以上、本実施形態によれば、上述した従来技術の問題点を解消し、使用者は使用目的に合わせて情報処理機２を専用モニタ３に装着することで本情報処理装置１を可搬機器として使用することができ、情報処理機２を外部モニタ４に接続することで本情報処理装置１を据え置き機器として使用することができる。
【図面の簡単な説明】
【００１７】
【図１】本発明の実施形態に係る情報処理装置の構成を示す図である。
【図２】本発明の実施形態に係る情報処理装置１の第１の使用例を示す図（（ａ）は側面図、（ｂ）は背面図）である。
【図３】本発明の実施形態に係る情報処理装置１の第２の使用例を示す図である。
【符号の説明】
【００１８】
１      情報処理装置
２      情報処理機
３      専用モニタ
４      外部モニタ
６      情報処理部
７      表示処理部
８      外部装置接続部
９      電源接続部
１０    外部モニタ接続部
１１    専用モニタ接続部
１２    充電回路
１５    操作部
１６    バッテリ
【図１】
2010009222.tif 000003
【図２】
2010009222.tif 000004
【図３】
2010009222.tif 000005